(57)【要約】【課題】便器本体の脚回りを局所的に照明するとともに、便器本体内の便器ボウル部をも照明可能とし、視力の衰えた高齢者でも容易に大便や小便の色等を観察することができる照明付き洋式便器を提供する。【解決手段】便器本体２の上面に便座３および便蓋４が設けられた洋式便器であって、上記便蓋４の前端部４１を便座３の上部前縁よりも前方に延出させるとともに、延出した前端部４１の裏面先端に発光体１を回動自在に取り付け、上記便蓋４の倒伏時には、上記発光体１が下方の床面を照らし、上記便蓋４の起立時には上記発光体１が便器本体２の便器ボウル部２１を照らすようにされた照明付き洋式便器Ａ。【選択図】図１
2007117236.tif 000002
【特許請求の範囲】
【請求項１】
便器本体の上面に便座および便蓋が設けられた洋式便器であって、上記便蓋の前端部を便座の上部前縁よりも前方に延出させるとともに、延出した前端部の裏面先端に発光体を回動自在に取り付け、上記便蓋の倒伏時には、上記発光体が下方の床面を照らし、上記便蓋の起立時には上記発光体が便器本体の便器ボウル部を照らすようにされた照明付き洋式便器。
【請求項２】
上記発光体が、延出した便蓋の前端部の裏面先端に自重により回動自在にヒンジ結合された請求項１に記載の照明付き洋式便器。
【請求項３】
上記発光体が、延出した便蓋の前端部の裏面先端に自在接手により回動自在に取り付けられた請求項１に記載の照明付き洋式便器。
【請求項４】
上記発光体がＬＥＤである請求項１に記載の照明付き洋式便器。
【発明の詳細な説明】
【技術分野】
【０００１】
本発明は、洋式便器に関する。さらに詳しくは、便蓋に発光体が取り付けられた照明付き洋式便器に関する。
【背景技術】
【０００２】
近年、高齢化社会を迎え、足腰が弱った、あるいは視力が衰えた、または認知症を発症した高齢者が増えつつあり、このような高齢者に適合するように改良された洋式便器が種々提案されている。例えば、下記特許文献１には、用を足すとき、トイレ室の照明器具を付け忘れても、人体検知センサが人の入室を検知して洋式便器前方の床面を局所的に照明し、洋式便器の陰に隠れたスリッパ等を見つけ易いように配慮された照明付き便器設備が提案されている。
【０００３】
一方、大便や小便の色、あるいはその他の状態を確認することは健康管理上、非常に大切なこととされている。しかしながら、洋式便器の便器本体の内部へは光が届きにくく、とくに、健康管理上、毎日の観察が必要とされる高齢者にとって、衰えた視力で便の色や状態を視認することは困難である。そこで懐中電灯等を用いて便器本体の内部を照らすことも考えられるが不便であって、実行しにくいという問題がある。
【特許文献１】特開２００４−２６１２２１号公報（第１〜４頁、第１図、第２図）
【発明の開示】
【発明が解決しようとする課題】
【０００４】
本発明は、このような状況のもとで考え出されたものであって、トイレ室の照明器具とは別に発光体を便蓋に取り付け、洋式便器の陰に隠れて明るさの不足する便器本体の脚回りを局所的に照明するとともに、便器本体内部の便器ボウル部をも照明可能とし、視力の衰えた高齢者でも容易に大便や小便の色等を観察することができる照明付き洋式便器を提供することを、その課題とする。
【課題を解決するための手段】
【０００５】
上記課題を解決するために、本発明においては、つぎのような技術的手段を講じている。すなわち、請求項１に記載の発明によれば、便器本体の上面に便座および便蓋が設けられた洋式便器であって、上記便蓋の前端部を便座の上部前縁よりも前方に延出させるとともに、延出した前端部の裏面先端に発光体を回動自在に取り付け、上記便蓋の倒伏時には、上記発光体が下方の床面を照らし、上記便蓋の起立時には上記発光体が便器本体の便器ボウル部を照らすようにされた照明付き洋式便器が提供される。
【０００６】
請求項２に記載の照明付き洋式便器は、請求項１に記載の発明に加えて、上記発光体が、延出した便蓋の前端部の裏面先端に自重により回動自在にヒンジ結合される。
【０００７】
請求項３に記載の照明付き洋式便器は、請求項１に記載の発明に加えて、上記発光体が、延出した便蓋の前端部の裏面先端に自在接手により回動自在に取り付けられる。
【０００８】
請求項４に記載の照明付き洋式便器は、請求項１に記載の発明に加えて、上記発光体がＬＥＤとされる。
【発明の効果】
【０００９】
請求項１に記載の発明にかかる照明付き洋式便器は上記のとおりであり、便蓋の前端部を便座の上部前縁よりも前方に延出させ、該延出した前端部の裏面先端に発光体を回動自在に取り付け、上記便蓋の倒伏時には、上記発光体が下方の床面を照らすため、トイレ室床面の便器本体の脚回りが照明され、スリッパ等を容易に見つけることができるとともに、とくに、高齢者が蹴つまずき、転倒する等の事故を防ぐことができる。
【００１０】
また、上記便蓋の起立時には発光体が便器本体内の便器ボウル部を照らすため、使用者は、用足し後、便器ボウル内の大便や小便の色、あるいはその他の状態を容易に視認することが可能となり、とくに、視力の衰えた高齢者が自らの健康状態を確認することができる。
【００１１】
請求項２に記載の照明付き洋式便器は上記のとおりであり、請求項１の照明付き洋式便器の有する効果に加え、上記発光体が、延出した便蓋の前端部の裏面先端に自重により回動自在にヒンジ結合されているため、便蓋を倒伏した状態では発光部は下向きとなり、下方の床面を照らし、トイレ室床面の便器本体の脚回りを照明することができる。また、便蓋を起立した状態では、ヒンジを軸として自重で揺動し、発光体が便蓋の裏面に当接して発光部位が固定され、便器本体内の便器ボウル部を照明することができる。
【００１２】
請求項３に記載の照明付き洋式便器は上記のとおりであり、請求項１の照明付き洋式便器の有する効果に加え、上記発光体が、延出した便蓋の前端部の裏面先端に自在接手により回動自在に取り付けられているため、所望の位置を照らすように発光体を回動させ、発光部位を調整することができる。
【００１３】
請求項４に記載の照明付き洋式便器は上記のとおりであり、請求項１の照明付き洋式便器の有する効果に加え、上記発光体がＬＥＤとされ、消費電力が極めて小さいため、維持費を少なく抑えることができる。
【発明を実施するための最良の形態】
【００１４】
以下、本発明の実施形態について図面を参照して、詳細に説明する。図１は、本発明にかかる照明付き洋式便器Ａを示す斜視図である。図１に示すように、上記照明付き洋式便器Ａは便器本体２とその上面に回動自在に載置される便座３とこの便座３に載置されるとともに、便器本体２内の便器ボウル部２１を回動自在に覆う便蓋４とからなっている。便蓋４の裏面には、便蓋４を便座３に載置する際の衝撃を吸収するため緩衝材５が設けられている。
【００１５】
上記便蓋４の前端部４１は便座３の上部前縁よりも前方に延出して設けられ、さらに、上記前端部４１の裏面先端には、ＬＥＤからなる発光体１がヒンジ１１によって自重により回動自在に取り付けられている。また、上記発光体１の図示しない電気的配線は、人体検知センサによってオン、オフする電源スイッチに接続されている。
【００１６】
図２は、上記照明付き洋式便器Ａの便蓋４を倒伏させた状態を、便蓋４のみを側断面で示す部分断面側面図である。トイレ室に人がいないときは、上記便蓋４は倒伏しているため、発光体１はヒンジ１１を軸として自重で回動し、図２に示されるように、発光部１２は下向きとなっている。
【００１７】
この状態でトイレ室に人が入ると、人体検知センサが検知して電源をオンとし、発光体１の発光部１２は下方の便器本体２の脚回りを照らす。このようにすることによって、トイレ室床面の便器本体２の脚回りが照明され、スリッパ等を容易に見つけることができるとともに、使用者の足元を照らし、とくに高齢者が蹴つまずき、転倒することを防ぐ。
【００１８】
図３は、用を足した後、便蓋４を起立させた状態を便蓋４のみを側断面で示す部分断面側面図である。図３に示されているように、便蓋４を起立させると発光体１はヒンジ１１を軸として自重で回動し、便蓋４の裏面に当接するとともに、発光部位が固定される。このようにして、発光体１の発光部１２から照射された光は便器本体２内の便器ボウル部２１を照らし、便器ボウル部２１内の大便や小便の色、あるいはその他の状態を容易に視認することが可能となるため、とくに、視力の衰えた高齢者が自らの健康状態を確認することができる。
【００１９】
図４は、本発明にかかる照明付き洋式便器Ａの他の実施形態であり、便蓋４の前端部４１に弾性係合部６が付設されている。図２に示したように、発光体１は便蓋４の前端部４１の裏面先端にヒンジ１１を介して回動自在に取り付けられ、ブラブラして不安定であるため、固定して用いたい場合、上記弾性係合部６で発光体１を弾性係止することができる。係止後は、弾性係止を解除することにより、再び、発光体を回動自在とすることができる。
【００２０】
また、ヒンジ１１に替えてフレキシブルな素材からなる自在接手を便蓋４の前端部４１の裏面先端に設け、この自在接手を介して発光体１を回動自在に取り付けることもできる。このようにすることにより、発光体を自由に回動させ、発光部位を調整することができるため、所望の位置を容易に照らすことが可能となる。以上述べたように本発明にかかる照明付き洋式便器Ａは種々設計変更可能であり、特許請求の範囲を逸脱しない限り、本発明の技術的範囲に属する。
【図面の簡単な説明】
【００２１】
【図１】本発明にかかる照明付き洋式便器を示す斜視図である。
【図２】上記照明付き洋式便器の便蓋を倒伏させた状態を示す部分断面側面図である。
【図３】上記照明付き洋式便器の便蓋を起立させた状態を示す部分断面側面図である。
【図４】本発明にかかる照明付き洋式便器の他の実施形態を示す部分断面側面図である。
【符号の説明】
【００２２】
Ａ          本発明にかかる照明付き洋式便器
１          発光体
１１        ヒンジ
１２        発光部
２          便器本体
２１        便器ボウル部
３          便座
４          便蓋
４１        前端部
５          緩衝材
６          弾性係合部
【図１】
2007117236.tif 000003
【図２】
2007117236.tif 000004
【図３】
2007117236.tif 000005
【図４】
2007117236.tif 000006